(57)【要約】      （修正有）【課題】複数の溝を有し光ケーブルに用いるスロットロッドにおいて、光ケーブルを構成する場合の外被を薄肉化した場合でも、溝に多数収納する光ファイバ心線を可能な限り燃焼から防護することが可能な光ケーブル用のスロットロッド及び光ケーブルを提供する。【解決手段】光ケーブル１用のスロットロッド１０は、外周面に溝１１が複数条形成されており、溝１１を形成するリブ１３のうち少なくとも先端部分を、耐燃性をもつ材質で構成する。そして、リブ１３の最細部１３ａより外周面側には、溝１１の幅が最細部１３ａの位置に比べて広い位置が存在し、リブ１３の先端における溝１１の幅Ｗは、リブ１３を最細部１３ａと同じ幅のまま延伸させて形成した場合の幅ｗｓの５０％以上７０％以下とする。【選択図】図１
2016020990.tif 000002
【特許請求の範囲】
【請求項１】
外周面に溝が複数条形成された、光ケーブル用のスロットロッドであって、
前記溝を形成するリブのうち少なくとも先端部分は、耐燃性をもつ材質で構成され、
前記リブの最細部より外周面側には、前記溝の幅が前記最細部の位置に比べて広い位置が存在し、
前記リブの先端における前記溝の幅は、前記リブを前記最細部と同じ幅のまま延伸させて形成した場合の５０％以上７０％以下の幅をもつ、スロットロッド。
【請求項２】
前記耐燃性をもつ材質は、ヤング率が１．８ＧＰａ以上３．０ＧＰａ以下のエンジニアリングプラスチックである、請求項１に記載のスロットロッド。
【請求項３】
前記エンジニアリングプラスチックは、ポリブチレンテレフタレートとポリカーボネートの複合材、ポリブチレンテレフタレート、ポリカーボネートのうちいずれか１つである、請求項２に記載のスロットロッド。
【請求項４】
請求項１〜３のいずれか１項に記載のスロットロッドと、該スロットロッドの周囲に巻かれた押さえ巻きと、該押さえ巻きの周囲に施された外被と、を備えた光ケーブル。
【請求項５】
前記外被は難燃性を有する、請求項４に記載の光ケーブル。
【発明の詳細な説明】
【技術分野】
【０００１】
本発明は、光ケーブル用のスロットロッド、及びそのスロットロッドを備えた光ケーブルに関する。
【背景技術】
【０００２】
従来から、複数条の溝をもったスロットロッド（スペーサともいう）を備えた光ケーブルが流通している。各溝には、複数本の光ファイバ心線が並列に配置された光ファイバテープ心線（以下、テープ心線ともいう）や単心の光ファイバ心線などが収納される。
【０００３】
特許文献１には、テープ心線を一枚一枚積層可能な矩形溝を有するスロットロッドを備えた光ケーブルが開示されている。このスロットロッドは、ポリブチレンテレフタレートとポリカーボネートの混合材で構成し、高温での使用を可能にしている。
【０００４】
特許文献２には、中心強度部材（所謂テンションメンバ）と、中心強度部材の周囲に設けられ第１の層と、第１の層の周囲に設けられ且つ複数の矩形溝を有する第２の層と、を備えたスロットロッドが開示されている。このスロットロッドは、第１の層を難燃性のない材料で構成し、第２の層をハロゲンフリー難燃性材料で構成することで、機械的な強度の低下を防止しつつ難燃性をもたせている。
特許文献３には、複数の矩形溝を有するスロットロッドにおいて難燃性樹脂組成物を用いたものが開示されている。
【先行技術文献】
【特許文献】
【０００５】
【特許文献１】特開平６−２５８５５８号公報
【特許文献２】特開２００８−１９７６４４号公報
【特許文献３】特開２００８−２８６９４１号公報
【発明の概要】
【発明が解決しようとする課題】
【０００６】
しかしながら、特許文献１〜３に記載の技術は、スロットロッドを構成する材料により難燃性を向上させることは可能であるが、矩形溝の開口部の存在から、光ケーブルとしての耐燃性を向上させようとした場合には、光ケーブルの外被に難燃性材料を用いるだけでなくその外被を厚肉化しなければならない。また、矩形溝は光ファイバ心線を高密度に光ケーブルに収納するのには向いていない。
【０００７】
本発明は、上述のような実状に鑑みてなされたものであり、その目的は、複数の溝を有し光ケーブルに用いるスロットロッドにおいて、光ケーブルを構成する場合の外被を薄肉化した場合でも、溝に多数収納する光ファイバ心線を可能な限り燃焼から防護することを可能にすることにある。
【課題を解決するための手段】
【０００８】
本発明によるスロットロッドは、外周面に溝が複数条形成された、光ケーブル用のスロットロッドであって、上記溝を形成するリブのうち少なくとも先端部分は、耐燃性をもつ材質で構成され、上記リブの最細部より外周面側には、上記溝の幅が上記最細部の位置に比べて広い位置が存在し、上記リブの先端における上記溝の幅は、上記リブを上記最細部と同じ幅のまま延伸させて形成した場合の５０％以上７０％以下の幅をもつようにしたものである。
【０００９】
本発明による光ケーブルは、上記スロットロッドと、上記スロットロッドの周囲に巻かれた押さえ巻きと、上記押さえ巻きの周囲に施された外被と、を備えるようにしたものである。
【発明の効果】
【００１０】
本発明によれば、複数の溝を有し光ケーブルに用いるスロットロッドにおいて、光ケーブルを構成する場合の外被を薄肉化した場合でも、溝に多数収納する光ファイバ心線を可能な限り燃焼から防護することができる。
【図面の簡単な説明】
【００１１】
【図１】本発明の実施形態に係る光ケーブルの一構成例を示す断面図である。
【図２Ａ】図１の光ケーブルのスロット溝に収納する間欠テープ心線の一例を示す図である。
【図２Ｂ】図２ＡのＢ−Ｂラインにおける断面図である。
【図３】本発明の実施形態に係るスロットロッドの他の構成例を示す断面図である。
【図４】スロットロッドに用いられる材料の自己消火性と強度を示す図である。
【図５】本発明の実施形態に係る光ケーブルの難燃試験の結果を示す図である。
【発明を実施するための形態】
【００１２】
［本発明の実施形態の説明］
まず、本発明の実施形態を列記して説明する。
（１）本発明の実施形態に係るスロットロッドは、外周面に溝が複数条形成された、光ケーブル用のスロットロッドであって、上記溝を形成するリブのうち少なくとも先端部分は、耐燃性をもつ材質で構成され、上記リブの最細部より外周面側には、上記溝の幅が上記最細部の位置に比べて広い位置が存在し、上記リブの先端における上記溝の幅は、上記リブを上記最細部と同じ幅のまま延伸させて形成した場合の５０％以上７０％以下の幅をもつようにしたものである。これにより、複数の溝を有し光ケーブルに用いるスロットロッドにおいて、光ケーブルを構成する場合の外被を薄肉化した場合でも、溝に多数収納する光ファイバ心線を可能な限り燃焼から防護することができる、といった効果を奏する。
【００１３】
（２）本発明の他の実施形態に係るスロットロッドは、上記（１）のスロットロッドにおいて、上記耐燃性をもつ材質は、ヤング率が１．８ＧＰａ以上３．０ＧＰａ以下のエンジニアリングプラスチックであるようにしたものである。これにより、上記効果を、汎用の材料を用いて得ることができるだけでなく、強度が保てるためスロットロッドの細径化が図れる。
【００１４】
（３）本発明の他の実施形態に係るスロットロッドは、上記（２）のスロットロッドにおいて、上記エンジニアリングプラスチックは、ポリブチレンテレフタレートとポリカーボネートの複合材、ポリブチレンテレフタレート、ポリカーボネートのうちいずれか１つであるようにしたものである。これにより、上記効果を、汎用の材料を用いて得ることができる。
【００１５】
（４）本発明の実施形態に係る光ケーブルは、上記（１）〜（３）のスロットロッドと、上記スロットロッドの周囲に巻かれた押さえ巻きと、上記押さえ巻きの周囲に施された外被と、を備えたものである。これにより、複数の溝を有するスロットロッドを用いて光ケーブルを構成する場合、その外被を薄肉化した場合でも、溝に多数収納する光ファイバ心線を可能な限り燃焼から防護することができる。
【００１６】
（５）本発明の他の実施形態に係る光ケーブルは、上記（４）の光ケーブルにおいて、上記外被は難燃性を有するようにしたものである。これにより、光ケーブルの耐燃性をさらに向上させることができる。
【００１７】
［本発明の実施形態の詳細］
以下、添付図面を参照しながら、本発明の実施形態に係るスロットロッド及びそのスロットロッドを備えた光ケーブルの具体例について説明する。
まず、図１を参照しながら、本発明の実施形態に係る光ケーブル及びその光ケーブルに用いられるスロットロッドの一例を説明する。
【００１８】
本実施形態に係る光ケーブル１は、スロットロッド１０と、スロットロッド１０の周囲に縦添え又は横巻きで巻かれた上巻テープ（押さえ巻きテープともいう）１４と、上巻テープ１４で覆ったスロットロッド１０の周囲に施された外被１５と、を備える。
【００１９】
上巻テープ１４は、一般に不織布をテープ状に形成したものが用いられるか、或いはポリエチレンテレフタレート（ＰＥＴ）等の基材と不織布とを貼り合わせたもの等が用いられる。なお、スロットロッド１０の外周に図示しない粗巻き紐を巻き付けた後に上巻テープ１４を巻き付けてもよい。外被１５は、ポリエチレン等の樹脂でなり、押出し成形で形成される。
【００２０】
スロットロッド１０は、その中心部に鋼線、鋼撚線等からなるテンションメンバ１２が埋設されると共に、スロットロッド１０の外周面に軸方向に向かって螺旋状又はＳＺ状の溝（スロット溝）１１が複数条形成されている。
【００２１】
スロットロッド１０は、スロット溝１１を形成して他のスロット溝１１との区分を行うために、リブ（スロットリブ）１３を有する。つまり、スロット溝１１は、隣り合うスロットリブ１３間の溝である。図１では、５つのスロットリブ１３により５つのスロット溝１１が形成されている例を挙げているが、スロットリブ１３やスロット溝１１の数はこれに限ったものではない。なお、所定のスロット溝１１の位置を識別するために、そのスロット溝１１を区分している所定のスロットリブ１３の最外周面にＶ字状、矩形状、Ｕ字状など種々の断面形状の着色樹脂を付着させておいてもよい。
【００２２】
そして、スロットリブ１３は、耐燃性をもつ材質で構成される。耐燃性は、その程度により不燃性、難燃性、自己消火性、遅燃性に分類されるが、このいずれかであればよい。光ケーブル１としての強度を考慮せずに耐燃性だけを考慮した場合、不燃性であることが最も好ましく、次いで難燃性、自己消火性、遅燃性の順番で好ましいと言える。但し、一般的に難燃性をもたせようとして添加物を加えた場合、そのスロットロッドの強度が低下するため、テンションメンバ１２としてより強度のあるものを使用する、及び／又は光ファイバ心線の収納密度を上げてより詰め込むなどの対策を行うとよい。
【００２３】
また、スロットロッド１０として、テンションメンバ１２以外の部分が全て同じ材料で構成された例を挙げたが、これに限ったものではない。例えば、スロットリブ１３が内層材料と内層材料よりも耐燃性を有する外層材料との２層型の構造をもつ２層型スロットロッドとしてもよい。また、スロットリブ１３のうち、その先端領域（リブ先端領域）１３ｂ以外からなる内層材料と、リブ先端領域１３ｂからなる外層材料との２層構造とし、外層材料のみ耐燃性を有するように構成することもできる。
【００２４】
このように、本実施形態では、スロット溝１１を形成するスロットリブ１３のうち少なくとも先端部分が、耐燃性をもつ材質で構成されていればよい。なお、これらの２層構造のスロットロッドは、例えば、内層材料を押出成形した後に、外層材料を押出成形することで製造することができる。また、内層材料の材質によっては、テンションメンバ１２を設けないようにすることもできる。
【００２５】
また、スロット溝１１はその断面が矩形の矩形溝ではなく、溝幅が一定のものではない。より具体的には、スロットリブ１３の最細部１３ａより外周面側には、スロット溝１１の幅が最細部１３ａの位置（径方向の位置、つまりリブ高さ方向の位置）に比べて広い位置が存在する。つまり、最細部１３ａでのスロット幅より広いスロット幅をもつ箇所が、最細部１３ａより外周面側に存在するものとする。なお、図１において、最細部１３ａのリブ幅はｄで示し、リブの先端部分のリブ幅はＤで示し、スロットロッド１０の半径はＲで示し、最細部１３ａのリブ高さ方向の位置における半径はｒで示している。
【００２６】
このような広い位置が存在することで、より光ファイバ心線を収納する空間を確保することができる。さらに、少なくともリブ先端領域１３ｂ以外については、どの位置でもスロット溝１１の幅が最細部１３ａの位置に比べて広くなるようにスロットリブ１３を形成することが、上記空間を確保して高密度化を図るために好ましいと言える。
【００２７】
また、図１では、スロット溝１１の底部が円弧状でスロット溝１１が拡がったＵ字状になっている場合を挙げているが、底部が平坦であってもよい。但し、スロット溝１１は上述のように溝幅が一定のものではなく、テープ心線を１枚ずつ積層するために最適な断面形状ではない。つまり、このスロット溝１１は、円筒状又はテープ状の光ファイバ心線を収納するのに適した形状に形成されていると言える。
【００２８】
以下では、スロット溝１１のそれぞれには、複数枚の光ファイバテープ心線（以下、テープ心線という）２０が収納される例を挙げる。図１のように５つのスロット溝１１が設けられた光ケーブル１の場合、例えば各スロット溝１１に８心のテープ心線２０を５０枚ずつ収納すると、合計２０００心とすることができる。但し、テープ心線２０の心数、スロット溝１１当たりのテープ心線２０の収納枚数、スロット溝１１の数は、いずれも例示したものに限らない。
【００２９】
テープ心線２０の収納形態としては、テープ心線２０をテープ幅方向に折り曲げて１又は複数枚収納するようにしてもよく、その場合には特に、後述する間欠型のテープ心線を採用することが望ましい。無論、各スロット溝１１に複数枚のテープ心線を積層して収納するようにしてもよいし、テープ心線に限らず、通常の光ファイバ単心線やマルチコア光ファイバ単心線のような円筒状の光ファイバ心線を収納するようにしてもよい。
【００３０】
図２Ａ，図２Ｂを参照しながら、テープ心線２０の一例としての間欠型のテープ心線（間欠テープ心線）について説明する。無論、スロット溝１１に収納するテープ心線２０は間欠接着型のテープ心線でなく、全心が繋がったテープ心線であってもよい。図２Ａは、スロット溝に収納する間欠テープ心線の一例を示す図で、８心間欠テープ心線を幅方向に開いた状態を示す図である。また、図２Ｂは、図２ＡのＢ−Ｂラインにおける間欠テープ心線の断面図である。
【００３１】
図２Ａで例示する間欠テープ心線２０は、間欠構造をもつ８本の光ファイバ心線２１からなる間欠テープ心線（以下、８心間欠テープ心線ともいう）である。すなわち、８心間欠テープ心線２０は、８本の光ファイバ心線２１が並列に配置され、隣り合う光ファイバ心線２１の間の長手方向に連結部２２と非連結部２３が間欠的に形成されている。
【００３２】
光ファイバ心線２１は、ガラスファイバにファイバ被覆を施した光ファイバ素線とも言われているもの、或いは、そのファイバ被覆の外面に着色層を施したものを含めた単心の光ファイバ（光ファイバ単心線）である。但し、各光ファイバ心線２１としてマルチコア光ファイバ心線を採用することもできる。
【００３３】
また、光ファイバ心線２１の周囲には、紫外線硬化樹脂等によるテープ被覆２４が形成されている。連結部２２では、隣り合う光ファイバ心線２１のテープ被覆２４が連なっており、非連結部２３では、隣り合う光ファイバ心線２１のテープ被覆２４が連結されておらず、分離された状態となっている。なお、図２Ｂでは、各光ファイバ心線２１の全周がテープ被覆２４で覆われた例を挙げているが、隣接する光ファイバ心線２１間は直接に接し、テープ被覆で覆われていない形態のものであってもよい。
【００３４】
また、テープ幅方向で見ると、連結部２２と非連結部２３とが交互に配される部分と、非連結部２３だけが配される部分とが、長手方向に所定のピッチで交互に現れるような例を挙げている。但し、連結部２２と非連結部２３の配置のパターンはこの例に限ったものではない。また、図２Ａでは、より好ましい例として、幅方向に中央に位置する４番線と５番線との境界に対して線対称となるような間欠パターンを挙げて説明するが、これに限ったものではない。無論、連結部２２の断面形状やその連結方法は問わない。
【００３５】
そして、本実施形態の主たる特徴として、スロットリブ１３の先端（最外周に位置する先端位置）におけるスロット溝１１の幅（つまりスロット溝１１の開口部の幅）Ｗは、幅ｗｓの５０％以上７０％以下であるものとする。ここで、幅ｗｓとは、図１において一点鎖線で形状を示したように、仮にスロットリブ１３を最細部１３ａと同じ幅ｄのまま延伸させて形成した場合の、スロットリブ１３の先端におけるスロット溝１１の幅を指す。
【００３６】
幅ｗｓに対する幅Ｗの割合を小さくすることで、耐燃性を有するリブ先端領域（リブ頭頂部分）１３ｂにスロット溝１１を覆う傘（遮蔽材）としての役割を与え、テープ心線２０が外部からの燃焼炎に晒される面積を減らすことができる。一方で、上記割合が小さすぎるとテープ心線２０をスロット溝１１に収納し難く、光ケーブル１からテープ心線２０を取り出す際に取り出し難くなる。つまり、幅Ｗは、狭すぎるとテープ心線２０の出し入れが難くなり、広すぎると遮蔽効果が少なくなる。
【００３７】
そのため、本実施形態では上述のように、上記割合を５０％以上とすることで、テープ心線２０をスロット溝１１に収納する際の空間を設けて収納し易さを確保すると共に、上記割合を７０％以下とすることで、上記傘としての役割を与えてテープ心線２０が外部からの燃焼炎に晒される面積を減らしている。
【００３８】
特に、例示したような間欠テープ心線は、或る程度、上記割合が低くても（つまりスロット溝１１の開口部が狭くても）、テープ幅方向に折り畳んで収納させること（スロット溝１１の内部ではそのままでもばらけさせてもよい）ができるため、本実施形態に収納する光ファイバ心線として最適であると言える。また、単心の光ファイバ心線、マルチコア光ファイバ単心線も収納し易いと言える。
【００３９】
以上、本実施形態に係る光ケーブル１によれば、高密度の光ケーブルの耐燃性を向上させることができる。具体的には、この光ケーブル１によれば、外被１５を薄肉化した場合でも、スロット溝１１に多数収納する光ファイバ心線を可能な限り（光ファイバ心線の出し入れを考慮した上で可能な限り）燃焼から防護することができる。また、本実施形態におけるスロットロッド１０によれば、光ケーブル１を構成した際に外被１５を薄肉化した場合でも、スロット溝１１に多数収納する光ファイバ心線を可能な限り燃焼から防護することができる。
【００４０】
また、外被１５は難燃性を有することが好ましく、これにより、光ケーブル１の耐燃性をさらに向上させることができる。
【００４１】
次に、図３を参照しながら、本実施形態に係るスロットロッドの他の構成例について説明する。なお、図３における符号３０，３１，３２，３３，３３ａ，３３ｂはそれぞれ図１における符号１０，１１，１２，１３，１３ａ，１３ｂに対応する部位である。
【００４２】
図３で例示するスロットロッド３０は、テンションメンバ３２の周囲に、スロット溝３１を形成する５つのスロットリブ３３を設けたものである。スロットロッド３０では、スロットリブ３３の最細部３３ａが長く、その外周側にほぼ台形状のリブ先端領域（リブ頭頂部分）３３ｂが形成されている。このように、最細部３３ａはある程度の長さをもっていてもよい。
【００４３】
また、図１，図３のスロットリブ１３，３３における上記耐燃性をもつ材質としては、ヤング率が１．８ＧＰａ以上３．０ＧＰａ以下のエンジニアリングプラスチックであることが好ましい。これにより、上述したような効果を汎用の材料を用いて得ることができるだけでなく、強度が保てるためスロットリブを薄くすることができ、それによりスロットロッドの細径化、光ケーブルの細径化や高密度化も図れる。
【００４４】
なお、ケーブル細径化は外被を硬質化して薄肉化することでも可能になるが、このような方法では外被が剥き難く、中身の光ファイバ心線を取り出す作業に支障がある。本実施形態では、外被は適切な硬度のまま、スロットリブを高強度化することで心線取り出し作業性を維持したまま細径化が図れる。
【００４５】
エンジニアリングプラスチックの具体例について、図４を参照しながら説明する。図４は、スロットロッドに用いられる材料の自己消火性と強度（ヤング率）を示す図である。
エンジニアリングプラスチックとしては、ポリブチレンテレフタレート（ＰＢＴ）とポリカーボネート（ＰＣ）の複合材（混合物）、ＰＢＴ、ＰＣなどが挙げられる。また、従来からスロットロッドに用いられていた材料としては高密度ポリエチレン（ＨＤＰＥ）がある。
【００４６】
図４で示す表４０のように、ＰＢＴは、酸素指数が２３で自己消火性があると言え、ヤング率が１．８〜３．０ＧＰａ程度である。ＰＣは、酸素指数が２６で自己消火性があると言え、ヤング率が１．８〜２．５ＧＰａ程度である。ＰＣとＰＢＴを複合したＰＣ／ＰＢＴアロイは、酸素指数が２３〜２６であって自己消火性があると言え、ヤング率は１．８〜３．０ＧＰａ程度である。一般的に自己消火性がある材質とは、酸素指数が約２２〜２７程度のものを言う。これに対し、ＨＤＰＥは、酸素指数が１７で自己消火性がないと言え、ヤング率も０．６〜１．８ＧＰａと小さい。
【００４７】
よって、スロットリブ１３，３３のうち少なくとも先端部分に用いるエンジニアリングプラスチックとしては、ＰＢＴ単体、ＰＣ単体、ＰＣ／ＰＢＴアロイのうちいずれか１つであることが好ましい。なお、ＰＣ／ＰＢＴアロイの混合比率は特に問わず、例えば３：７〜７：３程度とすればよい。これにより、エンジニアリングプラスチックを用いたことによる効果を、汎用の材料を用いて得ることができる。
【００４８】
（試験例）
図５を参照しながら、本実施形態に係る光ケーブルにおける難燃試験の結果を示す。
この燃焼試験では、本実施形態で例示したような高強度自己消火性エンジニアリングプラスチック（エンプラ）スロット型の光ケーブル（以下、エンプラケーブルと言う）と、汎用ＨＤＰＥスロット型の光ケーブル（以下、ＨＤＰＥケーブルと言う）を用いた。
【００４９】
ここで、エンプラケーブルのスロット材としては、ヤング率２．５ＧＰａ、外径１９ｍｍのＰＣ／ＰＢＴアロイを用い、ＨＤＰＥケーブルのスロット材としては、ヤング率０．８ＧＰａ、外径２１ｍｍのＨＤＰＥを用いた。なお、スロット材の外径はスロット溝の断面積が両スロットで同等となるように設定している。つまり、エンプラケーブルは高強度のスロットロッドであり、その外径は、ＨＤＰＥケーブルのスロットロッドと比べてリブ薄肉化相当分だけ細径化した値を用いた。
【００５０】
エンプラケーブル、ＨＤＰＥケーブルの双方において、スロット溝数を５とし、各スロット溝内に、間欠接着型８心テープを５０枚ずつ収納して、溝内光ファイバ心数を４００心とし、光ファイバ心数を合計２０００心とした。また、エンプラケーブル、ＨＤＰＥケーブルの双方において、テンションメンバとして２．６ｍｍ鋼線を用い、押さえ巻きに０．５ｍｍ厚のＰＥＴ不織布を用い、外被として難燃ポリエチレンを用いた。
【００５１】
このようなエンプラケーブル、ＨＤＰＥケーブルに対し、外被の厚みを変えながら（つまり外径を変えながら）、ＪＩＳ（Japanese Industrial Standards）  Ｃ  ３５２１の難燃試験を実施し、その合否を判定した。エンプラケーブルに対する合否は、本実施形態に該当する幅Ｗが幅ｗｓの５０％（スロット溝の遮蔽が５０％）、７０％（スロット溝の遮蔽が３０％）のものに対して行うと共に、比較として遮蔽無し（スロット溝の遮蔽が０％）のものも判定した。ＨＤＰＥケーブルについても、遮蔽無しのもので合否を判定した。図５に示す表５０では、合否の結果について、合格を「Ａ」、不合格を「Ｒ」、データが無いものを「−」で示している。
【００５２】
その結果、表５０のように、エンプラケーブル、ＨＤＰＥケーブルにおいて、遮蔽無しのものでは、それぞれ外被の厚みが１．５ｍｍ以上、２．０ｍｍ以上で難燃試験に合格した。これにより、スロットリブの材料としてＨＤＰＥに比べてＰＣ／ＰＢＴアロイの方が燃え難いことが確認できた。
【００５３】
また、エンプラケーブルでは、遮蔽３０％になると外被の厚みが１．２ｍｍの場合にも合格し、より遮蔽面積を増やした遮蔽５０％になると外被の厚みが１．０ｍｍの場合にも合格した。また、遮蔽が５０％になっても光ファイバ心線の出し入れは支障なく実施できた。
【００５４】
これにより、本実施形態のように、幅Ｗが幅ｗｓの５０％以上７０％以下になるようにスロットロッドを形成することで、光ケーブルを構成する場合の外被を薄肉化した場合でも、溝に多数収納する光ファイバ心線を可能な限り燃焼から防護することができることが確認できた。
【００５５】
以上、今回開示された実施形態は全ての点で例示であって制限的なものではない。本発明の範囲は、上述した例に限定されるものではなく、特許請求の範囲によって示され、特許請求の範囲と均等の意味及び範囲内での全ての変更が含まれることが意図されている。
【符号の説明】
【００５６】
１…光ケーブル、１０，３０…スロットロッド、１１，３１…スロット溝、１２，３２…テンションメンバ、１３，３３…スロットリブ、１３ａ，３３ａ…最細部、１３ｂ，３３ｂ…先端領域、１４…上巻テープ、１５…外被、２０…テープ心線、２１…光ファイバ心線、２２…連結部、２３…非連結部、２４…テープ被覆。
【図１】
2016020990.tif 000003
【図２Ａ】
2016020990.tif 000004
【図２Ｂ】
2016020990.tif 000005
【図３】
2016020990.tif 000006
【図４】
2016020990.tif 000007
【図５】
2016020990.tif 000008